(57)【要約】【課題】支軸と軸受け部との間で生ずる擦れ音を防止した椅子を提供する。【解決手段】ベース２の前部に、座体３の中間支持体５を第１軸６にて傾動自在に取り付ける。ベース２の前後略中間部に、背受け部材７を第２軸８にて後傾動自在に連結し、背受け部材７の前後中途部と中間支持体５とを第３軸９にて相対傾動自在に連結する。第２軸８は、金属丸パイプ製のインナーピン軸２１と合成樹脂製で二つ割状の半割り筒部材２３とからなる同心状の二重軸構造になっている。背受け部材７をベース２に取り付けるには、インナーピン軸２１を挟むようにして二つ割状の半割り筒部材２３を重ね合わせて第２軸８とし、第２軸８の各大径張り出し部２５を前向きアーム７ａの軸受け穴７ｈに左右方向から嵌め込んだのち、第２軸８の小径段部２８を上下センターブッシュ３１，３２にて挟み込んでからセンター金具３３に嵌め入れ、センター金具３３をベース２にねじ３５にて締結する。【選択図】図４
2007167541.tif 000002
【特許請求の範囲】
【請求項１】
同心状の軸受け穴を有する複数の第１軸受け部が離間して設けられた第１部材と、前記第１部材における複数の第１軸受け部の間に位置した第２軸受け部を有する第２部材とを備えており、前記第１部材と前記第２部材とが、前記第１軸受け部及び前記第２軸受け部に挿通する支軸によって連結されている椅子であって、
前記支軸は、強度メンバーとしての役割を果たす金属製のインナーピン軸と、当該インナーピン軸に対してその軸線方向にずれ不能に被嵌された合成樹脂製のアウターケースとにより構成されていると共に、前記第１部材の第１軸受け部又は前記第２部材の第２軸受け部にてずれ不能に保持されている、
椅子。
【請求項２】
前記支軸のアウターケースは、前記インナーピン軸の外周面に半周ずつ重なる一対の半割り筒部材に分割されていて、両半割り筒部材の両端部に、前記インナーピン軸をその軸線方向にずれ不能に保持するストッパー部が形成されている一方、
前記第２部材の第２軸受け部は、前記支軸と直交する方向から前記支軸に被嵌される支持部材を備えており、この支持部材と前記支軸のアウターケースとには、両者を前記支軸の軸線方向にずれ不能に保持する係合手段を備えている、
請求項１に記載した椅子。
【請求項３】
脚と、脚にて支持された前記第２部材としてのベースと、ベースの上方に配置された座体と、座体の後方に配置された前記第１部材としての背受け部材と、背受け部材に設けられた背もたれとを備えており、
前記背受け部材に、前記第１軸受け部の一環として、前方に延びる左右一対の前向きアームが形成されており、前記ベースの下面には、前記第２軸受け部の一環としてのセンター押え部材が取り付けられており、前記両前向きアームと前記センター押え部材とに前記支軸を挿通することによって、前記背受け部材と前記ベースとが回動可能に連結されている一方、
前記支軸を構成するアウターケースの各半割り筒部材の外形は、左右両端部が長手中途部よりも半径外向きに張り出した段付き状になっており、長手中途部である小径段部の長さは、前記背受け部材における前向きアーム間の間隔寸法と略同じに設定されており、
前記センター押え部材は、前記支持部材の一環として前記支軸を上下から挟み付ける上下一対のセンターブッシュと、これら上下センターブッシュを下方から覆って前記ベースにねじ止めされるセンター金具とからなり、上下センターブッシュの長さは、前記半割り筒部材における小径段部の長さと略同じに設定されており、
前記両半割り筒部材の小径段部と前記上下センターブッシュとは、前記小径段部を前記上下センターブッシュにて上下から挟み込むことによって、前記係合手段として機能している、
請求項２に記載した椅子。
【発明の詳細な説明】
【技術分野】
【０００１】
本願発明は椅子に関するものである。
【背景技術】
【０００２】
例えば事務用の回転椅子は、脚の上端に固定されたベースにて座を支持すると共に、ベースの後部にばね手段に抗して後傾動する背受け部材を連結した構造になっており、近年では、背もたれの後傾動に連動して座体が後退動（及び／又は後傾動）するシンクロタイプが主流となっている。
【０００３】
背もたれと座体とを連動させるシンクロ機構には何種類かあるが、いずれにしても、椅子の正面視で左右長手の軸（ピン）を利用した連結により、部材の回動や後退動等を許容しているのが一般的である。
【０００４】
かかる構造の一例として特許文献１には、正面視で左右に長い軸（ピン）を利用した三点リンク機構を採用した椅子の構造が開示されている。この場合、ベースの前部と座体とが第１軸にて連結され、背もたれが取り付けられた背受け部材と座体とが第２軸にて連結され、背受け部材の先端部とベースの後部とが第３軸にて回動可能に連結されている。更に、第１軸又は第３軸が嵌り込む穴は前後長手の長穴になっている。このため、特許文献１の椅子は背もたれの後傾動に連動して座体が後退しつつ後傾する構成になっている。
【０００５】
前述の各軸は金属丸パイプを素材としたものであり、背受け部材や座体に対して溶接にて固着されている。各軸における左右両端寄りの部位には二つ割状の樹脂製ブッシュが被嵌されており、各軸におけるブッシュの箇所をベース等に形成された側面視Ｕ字状の軸受け穴に嵌め込んだ状態で、当該両ブッシュの箇所が押え金具にて上方から覆われている。そして、この押え金具がねじにてベース等の上面に締結されている。二つ割状の樹脂製ブッシュは、金属丸パイプ製の軸とこれを受ける部材との間での擦れ音発生を防止するためのものである。
【特許文献１】特開２００３−２４５１５４号公報
【発明の開示】
【発明が解決しようとする課題】
【０００６】
しかし、特許文献１のように、金属丸パイプ製の軸を背受け部材や座体に溶接にて固着する構成を採用すると、背もたれや座体に対する支持強度に優れている反面、溶接箇所に荷重が掛かることから十分な溶接強度を確保すべく丁寧に溶接しなければならず、溶接工程に多大な手間がかかるし、その品質のバラツキも大きいという問題があった。
【０００７】
また、特許文献１の構成では、擦れ音発生防止のために、二つ割状の樹脂製ブッシュを各軸に対して左右一対配置しなければならないから、部材点数が増えると共に組み立ての工数が嵩むという点も問題であった。
【０００８】
そこで、本願発明はこのような現状を改善することを技術的課題とするものである。
【課題を解決するための手段】
【０００９】
この技術的課題を解決するため、請求項１の発明は、同心状の軸受け穴を有する複数の第１軸受け部が離間して設けられた第１部材と、前記第１部材における複数の第１軸受け部の間に位置した第２軸受け部を有する第２部材とを備えており、前記第１部材と前記第２部材とが、前記第１軸受け部及び前記第２軸受け部に挿通する支軸によって連結されている椅子であって、前記支軸は、強度メンバーとしての役割を果たす金属製のインナーピン軸と、当該インナーピン軸に対してその軸線方向にずれ不能に被嵌された合成樹脂製のアウターケースとにより構成されていると共に、前記第１部材の第１軸受け部又は前記第２部材の第２軸受け部にてずれ不能に保持されているというものである。
【００１０】
請求項２の発明は、請求項１に記載した椅子において、前記支軸のアウターケースは、前記インナーピン軸の外周面に半周ずつ重なる一対の半割り筒部材に分割されていて、両半割り筒部材の両端部に、前記インナーピン軸をその軸線方向にずれ不能に保持するストッパー部が形成されている一方、前記第２部材の第２軸受け部は、前記支軸と直交する方向から前記支軸に被嵌される支持部材を備えており、この支持部材と前記支軸のアウターケースとには、両者を前記支軸の軸線方向にずれ不能に保持する係合手段を備えているというものである。
【００１１】
請求項３の発明は、請求項２に記載した椅子において、脚と、脚にて支持された前記第２部材としてのベースと、ベースの上方に配置された座体と、座体の後方に配置された前記第１部材としての背受け部材と、背受け部材に設けられた背もたれとを備えており、前記背受け部材に、前記第１軸受け部の一環として、前方に延びる左右一対の前向きアームが形成されており、前記ベースの下面には、前記第２軸受け部の一環としてのセンター押え部材が取り付けられており、前記両前向きアームと前記センター押え部材とに前記支軸を挿通することによって、前記背受け部材と前記ベースとが回動可能に連結されている一方、前記支軸を構成するアウターケースの各半割り筒部材の外形は、左右両端部が長手中途部よりも半径外向きに張り出した段付き状になっており、長手中途部である小径段部の長さは、前記背受け部材における前向きアーム間の間隔寸法と略同じに設定されており、前記センター押え部材は、前記支持部材の一環として前記支軸を上下から挟み付ける上下一対のセンターブッシュと、これら上下センターブッシュを下方から覆って前記ベースにねじ止めされるセンター金具とからなり、上下センターブッシュの長さは、前記半割り筒部材における小径段部の長さと略同じに設定されており、前記両半割り筒部材の小径段部と前記上下センターブッシュとは、前記小径段部を前記上下センターブッシュにて上下から挟み込むことによって、前記係合手段として機能しているというものである。
【発明の効果】
【００１２】
本願発明の構成によると、同心状の軸受け穴を有する複数の第１軸受け部が離間して設けられた第１部材と、前記第１部材における複数の第１軸受け部の間に位置した第２軸受け部を有する第２部材とが、前記第１軸受け部及び前記第２軸受け部に挿通する支軸によって連結されているから、製造段階において、前記従来のように前記第１部材及び前記第２部材のいずれかに前記支軸を一々溶接固定する必要がない。従って、製造段階での前記支軸の溶接工程を省略でき、製造コストを低減できる。その上、前記第１部材及び前記第２部材のいずれかに前記支軸を溶接しなくてよいので、これらの品質を均一化できる。
【００１３】
また、前記支軸は、強度メンバーとしての役割を果たす金属製のインナーピン軸と、当該インナーピン軸に対してその軸線方向にずれ不能に被嵌された合成樹脂製のアウターケースとにより構成されているので、前記第１及び第２軸受け部と前記インナーピン軸との間には、合成樹脂製の前記アウターケースが介在することになる。このため、椅子の使用中に、前記第１及び第２軸受け部と前記インナーピン軸との間で擦れ音を生ずることはなく、その結果、椅子を快適に使用できる。
【００１４】
更に、前記第１部材と前記第２部材とを連結するに際しては、前記支軸が前記第１軸受け部又は前記第２軸受け部にてずれ不能に保持されるから、前記支軸を介しての前記第１部材と前記第２部材との連結作業を能率よく行え、椅子の組み立て作業の能率を向上させることができる。
【００１５】
請求項２の構成によると、前記支軸のアウターケースが前記インナーピン軸の外周面に半周ずつ重なる一対の半割り筒部材に分割されていて、両半割り筒部材の両端部に、前記インナーピン軸をその軸線方向にずれ不能に保持するストッパー部が形成されているので、擦れ音防止機能を発揮する前記両半割り筒部材を、前記インナーピン軸の抜け止め手段に兼用できる。従って、抜け防止のための専用の部材を設けることなく前記インナーピン軸を左右抜け不能に保持でき、構造の簡単化（部品点数の抑制）に寄与できる。
【００１６】
その上、前記第２部材の第２軸受け部は、前記支軸と直交する方向から前記支軸に被嵌される支持部材を備えており、この支持部材と前記支軸のアウターケースとに、両者を前記支軸の軸線方向にずれ不能に保持する係合手段を備えているので、前記係合手段の作用によっても、前記支軸を前記第２部材に対して左右ずれ不能な状態できっちりと位置決めでき、椅子の組み立て作業の能率をより一層向上させることができる。
【００１７】
請求項３の発明は、請求項２の構成をより具体化したものである。このように構成すると、背受け部材をベースに取り付けるに際しては、支軸の小径段部を上下センターブッシュにて挟み込むことによって、前記支軸を前記ベースに対して左右ずれ不能な状態できっちりと位置決めできるから、前記支軸を介しての前記背受け部材と前記ベースとの連結作業を能率よく行え、ひいては椅子の組み立て作業の能率を向上させることができる。
【発明を実施するための最良の形態】
【００１８】
以下に、本願発明を具体化した実施形態を図面（図１〜図８）に基づいて説明する。図１〜図７は、本願発明を事務用に多用される回転タイプの椅子に適用した例である。図１は椅子の正面図、図２は左側面図、図３は背受け部材及びベースを上方から見た斜視図、図４は背受け部材とベースとを裏返した状態での分離斜視図、図５は第３軸の取り付け構造を示す一部切り欠き分離正面図、図６は第３軸の取り付け構造を示す分離側断面図、図７は第３軸の取り付け構造を示す一部切り欠き正断面図、図８は係合手段の別例を示す一部切り欠き正断面図である。
【００１９】
（１）．椅子の概要
まず、図１〜図４を参照しながら、椅子の概要について説明する。
【００２０】
これらの図面から理解できるように、本実施形態の椅子は、キャスター及びガスシリンダ式脚柱を備えた脚１と、脚柱の上端に固定したベース２と、ベース２の上方に配置された座体３と、座体３の後方に配置された背もたれ４とを備えている。
【００２１】
ベース２は上向きに開口した箱状の形態であり、その後部に固着されたインナーブラケット１２（図６参照）を介して、脚柱の上端に固定されている。ベース２の前部には、座体３の一構成要素である中間支持体５が左右長手の第１軸６にて傾動自在に取り付けられている（連結されている）。また、ベース２の前後略中間部には、背受け部材７が支軸としての左右長手の第２軸８にて後傾動自在に連結されており、背受け部材７の前後中途部と中間支持体５とは左右長手の第３軸９にて相対傾動自在に連結されている。
【００２２】
背受け部材７は特許請求の範囲に記載した第１部材に相当し、ベース２は特許請求の範囲に記載した第２部材に相当する。
【００２３】
座体３は、前述の中間支持体５と、人が着座する座３ａとを備えており、座３ａが中間支持体５の上面に前後位置調節可能に装着されている。詳細は図示していないが、第１軸６はベース２に対して前後動可能に挿通されており、且つ、第１軸６はベース２の内部に配置したばね（図示せず）にて後方から支持されている。このため、座体３は背もたれ４の後傾動に連動して（シンクロして）後傾しつつ後退動する。
【００２４】
背受け部材７とベース２とはガスシリンダ１０を介して連結されており、背受け部材７の外側に配置したレバー１１の回動操作にて、ガスシリンダ１０をロック状態とフリー状態とに切り換え作動させることにより、背もたれ４は、自在に後傾動するフリー状態と任意の姿勢で後傾不能に保持されたロック状態とに切り換えられる。図示していないが、ガスシリンダ１０の前端部はベース２の後端部に突設したブラケットにピンにて回動可能に取り付けられている。
【００２５】
背もたれ４は、正面視で上下長手の左右サイドメンバー１４及びその上端に繋がったアッパーメンバー１５から成るバックフレーム１３と、このバックフレーム１３に被さった袋状のバックシート１６とを備えている。バックフレーム１３は背もたれ４の外形を構成するものであり、バックフレーム１３で囲われた部分は前後に開口して空間になっている。バックシート１４の内部には、主として着座者の腰椎を支持するランバーサポート１７が上下動自在に配置されている。
【００２６】
図３及び図４に示すように、背受け部材７は、第１軸受け部の一環として、前方に延びる左右一対の前向きアーム７ａを備えており、これら前向きアーム７ａの上面には、両者に跨って延びる金属板製のブリッジ状ブラケット１８がねじ止めにて固定されている。
【００２７】
前向きアーム７ａは左右両方ともベース２の左右外側に沿って延びており、これら前向きアーム７ａの先端部（前端部）には、第２軸８が嵌る軸受け穴７ｈが左右方向に開口するように同心状に形成されている。前向きアーム７ａの先端部（前端部）が第２軸８を介してベース２に連結されている（詳細は後述する）。ブリッジ状ブラケット１８上に設けられた軸受け部材（図示せず）には、第３軸９が回動可能に保持されている。
【００２８】
背受け部材７はアルミダイキャストのような金属の一体成形品であり、その後部は平坦部７ｂとなっており、平坦部７ｂの後端にはその上下にはみ出した後ろ壁部７ｃが左右略全長にわたって延びるように形成されている。平坦部７ｂの上面のうち後ろ壁部７ｃの手前側には、上向きに突出した土手部７ｄが形成されており、土手部７ｄと後ろ壁部７ｃとの間に広がる平面視三日月状の部分が、バックシート１６の下端を固定するための縁部材固定部７ｅになっている。
【００２９】
背受け部材７の後部は左右に張り出していて、これら両張り出し部には、バックフレーム１３のサイドメンバー１４を取り付けるためのボス部７ｆ（起立部）が一体に形成されている。詳細は図示していないが、サイドメンバー１４は断面が略左右方向に長い楕円形状の中空パイプ製である一方、背受け部材７のボス部７ｆはサイドメンバー１４と同じ平面形状に形成されており、このボス部７ｆに対して、サイドメンバー１４が連結部材（図示せず）を介して固定されている。
【００３０】
図４に示すように、平坦部７ｂの裏面（下面）と後ろ壁部７ｃの前面とは多数のリブ７ｇにて連結されている。このため、平坦部７ｂには、後ろ壁部７ｃやリブ７ｇで囲われた下向き開口の凹所１９が多数形成されており、これら凹所１９に、ガスシリンダ１０を取り付けるための金具や、ガスシリンダ１０を操作するための操作軸、該操作軸を保持する軸受け部材等が配置されている（いずれも図示せず）。
【００３１】
バックシート１６は適度の空隙を有する織地又は編地（ネット材）を素材として製造されており、表面部分と裏面部分との左右両側が縫着や融着にて一体に繋がって袋状になっている。表面部分の下端縁と裏面部分の下端縁とは、それぞれ樹脂板又は金属板からなる平面視弓形の縁部材（図示せず）に縫い付けることにより離脱不能に固定されている。これら両縁部材は、背受け部材７の縁部材固定部７ｅに対してボルト及びナットにて共締めされている。
【００３２】
（２）．背受け部材とベースとの取り付け構造
次に、図１〜図４に加えて図５〜図７も参照しながら、第２軸を介しての背受け部材とベースとの取り付け構造とについて説明する。
【００３３】
第２軸８は特許請求の範囲に記載した支軸に相当するものであり、強度メンバーとして機能する金属丸パイプ製のインナーピン軸２１と、このインナーピン軸２１に対してその軸線方向（左右方向）にずれ不能で且つ自由回動可能に被嵌された合成樹脂製のアウターケース２２とからなる同心状の二重軸構造になっている。
【００３４】
本実施形態のアウターケース２２は、円筒状であるインナーピン軸２１の外周面に半周ずつ重なる一対の半割り筒部材２３に分割されたものであり、これら両半割り筒部材２３は同一形状の共通部品になっている。これら半割り筒部材２３は、金属（インナーピン軸２１や背受け部材７）との接触にて擦れ音が発生しないポリプロピレンやポリエチレンのような素材を用いるのが好ましい。各半割り筒部材２３の左右両端部は、これに一体形成された略半円状のストッパー部２４にて塞がれており（仕切られており）、両半割り筒部材２３を内径側が相対向するようにして重ね合わせると、両半割り筒部材２３からなるアウターケース２２は左右両端部が塞がった中空筒状の形態になる。このため、アウターケース２２内に嵌め込まれた（両半割り筒部材２３にて挟まれた）インナーピン軸２１は自由回動可能な状態で左右ずれ不能に保持される。
【００３５】
各半割り筒部材２３の外形は、左右両端部が長手中途部よりも半径外向きに張り出した段付き状に形成されており、左右両端の大径張り出し部２５が背受け部材７における前向きアーム７ａの軸受け穴７ｈに対して左右方向から抜き差し可能に嵌め込まれている。各半割り筒部材２３における小径段部２８（長手中途部）の長さＬＨは、背受け部材７における前向きアーム７ａ間の間隔寸法ＬＡと略同じに設定されている。なお、大径張り出し部２５の外端面は、前向きアーム７ａの軸受け穴７ｈから外向きに露出しており、軸受け穴７ｈを隠す軸受けキャップとしての機能もある。
【００３６】
各半割り筒部材２３における左右ストッパー部２４の当接端面（合わせ面）には、一方に位置決め用突起２６が、他方に係合穴２７が形成されている（図５及び図７参照）。両半割り筒部材２３を内径側が相対向するようにして重ね合わせた状態では、一方の半割り筒部材２３の位置決め用突起２６が他方の半割り筒部材２３の係合穴２７に嵌ることによって、両半割り筒部材２３の位置決め（重ね合わせ）を簡単に行える。また、各半割り筒部材２３の内面には、浅い溝２３ａが適宜条数形成されている。この溝２３ａは、内部にグリスを溜める等してインナーピン軸２１の回動をスムーズにするためのものである。
【００３７】
なお、アウターケース２２は二つ割状の半割り筒部材２３に構成するに限らず、インナーピン軸２１が貫通する両端開口筒状のものであってもよい。この場合は、インナーピン軸２１の両端部に環状溝を形成し、これら各環状溝にスナップリングを嵌め込むことにより、インナーピン軸２１をアウターケース２２からずれ不能に保持する等すればよい。アウターケース２２はインナーピン軸２１が内装された筒状成形品でも構わない。
【００３８】
図４〜図７に示すように、二重軸構造の第２軸８は、ポリプロピレンやポリエチレン等の合成樹脂製の上センターブッシュ３１及び下センターブッシュ３２で上下から挟まれており、これら上下センターブッシュ３１，３２はフラップ３４付きで樋状のセンター金具３３にて下方から覆われている。そして、センター金具３３が複数のねじ３５（本実施形態では４本）にてベース２の下面に締結されている。ベース２の下面のうちセンター金具３３のフラップ３４が重なる箇所には、フラップ３４に形成された挿通穴３４ａに対応した雌ねじ穴２ａがバーリング加工にて形成されている。もちろん、雌ねじ穴２ａに代えて、ナットを溶接したり埋設したりしてもよい。上下センターブッシュ３１，３２及びセンター金具３３は特許請求の範囲に記載した第２軸受け部としてのセンター押え部材に相当し、そのうち上下センターブッシュ３１，３２は特許請求の範囲に記載した支持部材に相当するものである。
【００３９】
上下センターブッシュ３１，３２は、重なると全体として外面が側面視略矩形状となるように形成されており、上下から重なり合った状態でセンター金具３３内にガタツキ不能に保持されている。なお、本実施形態では上センターブッシュ３１の深さを下センターブッシュ３２より深くしているが、これは、第２軸８が椅子のロッキング（揺動）時に上向きに押し勝手になる関係上、上センターブッシュ３１の支持機能を高めた方が好ましいからである。もちろん、上下センターブッシュ３１，３２の深さを同じ程度に設定してもよい。
【００４０】
上下センターブッシュ３１，３２の長さＬＢ１，ＬＢ２は、各半割り筒部材２３における長手中途部の長さＬＨと略同じに設定されており（従って、前向きアーム７ａ間の間隔寸法ＬＡとも略同じである）、このため、第２軸８における両半割り筒部材２３の小径段部２８（長手中途部）を上下センターブッシュ３１，３２にて挟み込むと、第２軸８は上下センターブッシュ３１，３２に対して左右ずれ不能に保持される。
【００４１】
上センターブッシュ３１の左右両端部には、ベース２の左右側面に当接又は密接する上向き突起３１ａが一体に形成されている。また、上センターブッシュ３１のうち左右両上向き突起３１ａの間の箇所には、ベース２の下面に穿設された係合穴２ｂ（図４〜図６参照）に下方から嵌る左右一対の係合突起３１ｂが一体に形成されている。このため、上センターブッシュ３１がベース２に対してきっちりと位置決めされ、ひいては、第２軸８がベース２に対して左右ずれ不能に保持される。
【００４２】
また、下センターブッシュ３２には、センター金具３３の左右側面に当接又は密接する下向き突起３２ａが一体に形成されている。このため、下センターブッシュ３２は、センター金具３３ひいてはベース２に左右ずれ不能の状態できっちりと位置決めされる。
【００４３】
本実施形態では、各半割り筒部材２３の小径段部２８（長手中途部）と、上下センターブッシュ３１，３２とが特許請求の範囲に記載した係合手段に相当する。なお、上下センターブッシュ３１，３２の内面にも浅い溝３１ｃ，３２ｃが適宜条数形成されている（その機能は半割り筒部材２３の溝２３ａと同じである）。
【００４４】
（３）．作用効果
第２軸８を利用して背受け部材７をベース２に取り付けるには、まず、インナーピン軸２１を挟むようにして二つ割状の半割り筒部材２３を重ね合わせて、二重軸構造の第２軸８としたのち、当該第２軸８の各大径張り出し部２５を背受け部材７における前向きアーム７ａの軸受け穴７ｈに左右方向からきっちりと嵌め込む（挿通させる）。次いで、第２軸８の小径段部２８に上下センターブッシュ３１，３２を重ね合わせてからセンター金具３３に嵌め入れて、センター金具３３をベース２にねじ３５にて締結すればよい。
【００４５】
この場合、背受け部材７とベース２とは、左右一対の前向きアーム７ａ及びセンター押え部材とに第２軸８を左右方向から挿通することによって連結されているから、製造段階において、背受け部材７及びベース２のいずれかに第２軸８を一々溶接固定する必要がない。従って、製造段階での第２軸８の溶接工程を省略でき、製造コストを低減できる。その上、背受け部材７及びベース２のいずれかに第２軸８を溶接しなくてよいので、これらの品質を均一化できる。
【００４６】
また、本実施形態の第２軸８は、強度メンバーとしての金属丸パイプ製のインナーピン軸２１と合成樹脂製の一対の半割り筒部材２３（アウターケース２２）とからなる二重軸構造のものであるから、前向きアーム７ａの軸受け穴７ｆ及びセンター押え部材とインナーピン軸２１との間には、合成樹脂製の半割り筒部材２３が介在することになる。このため、椅子の使用中に、前向きアーム７ａの軸受け穴７ｆ及びセンター押え部材とインナーピン軸２１との間で擦れ音を生ずることはなく、その結果、椅子を快適に使用できる。
【００４７】
更に、背受け部材７をベース２に取り付けるに際しては、下センターブッシュ３２の下向き突起３２ａとセンター金具３３との嵌り合いにより、第２軸８がベース２に対して左右ずれ不能に保持されるから、ベース２の雌ねじ穴２ａとセンター金具３３の挿通穴３４ａとの位置合わせが簡単である。これにより、第２軸８を介しての背受け部材７とベース２との連結作業を能率よく行え、椅子の組み立て作業の能率が向上する。
【００４８】
本実施形態では、第２軸８を構成するアウターケース２２が二つ割り状の半割り筒部材２３に分割されており、且つ、左右両端のストッパー部２４の存在により、アウターケース２２内のインナーピン軸２１はその軸線方向にずれ不能に保持されるので、擦れ音防止機能を発揮する半割り筒部材２３の対（アウターケース２２）を、インナーピン軸２１の抜け止め手段に兼用できる。従って、抜け防止のための専用の部材を設けることなくインナーピン軸２１を左右ずれ不能に保持でき、構造の簡単化（部品点数の抑制）に寄与できる。
【００４９】
その上、センター押え部材を構成する上下センターブッシュ３１，３２による第２軸８の挟み込みによっても、第２軸８をベース２に対して左右ずれ不能な状態できっちりと位置決めできるから、第２軸８を介しての背受け部材７とベース２との連結作業、ひいては椅子の組み立て作業の能率がより一層向上する。
【００５０】
特に、本実施形態では、上センターブッシュ３１の上向き突起３１ａとベース２との嵌り合い、及び上センターブッシュ３１の係合突起３１ｂとベース２の係合穴２ｂとの係合によって、上センターブッシュ３１がベース２に対しても確実に位置決めされるので、椅子の組み立て作業の能率を向上させる効果が極めて高いのである。
【００５１】
（４）．その他
本願発明は前述の実施形態に限らず、様々な態様に具体化できる。例えば本願発明を背もたれが後傾動しない（ロッキングしない）固定タイプの椅子に適用することも可能である。二重軸構造の支軸は、前述の第２軸８に限らず、第１軸６又は第３軸９に対して適用してもよい。
【００５２】
センター押え部材（ブッシュ類）がベース２等の部材に重なる場合において、支軸が軸線方向（左右方向）にずれるのを阻止する係合手段としては、前述の実施形態に限るものではなく、例えば図８の別例に示すように、アウターケース２２（両半割り筒部材２３）の外周面に環状溝４１を形成し、上下センターブッシュ３１，３２の内径部に形成された内向き環状リブ４２をアウターケース２２の環状溝４１に嵌め込むことによって、支軸（この例では第２軸８）の左右ずれを阻止するようにしてもよい。また、突起と穴との組合せや、係合爪同士の嵌め合わせ構造を採用してもよい。２つの係合爪はいずれか一方が弾性変形すれば足りる。他の係合構造（係止構造）も採用可能である。
【００５３】
支軸をずれ不能に保持する機能は、背受け部材７の前向きアーム７ａ側、すなわち第１部材の第１軸受け部側に備えられていてもよい。例えば、アウターケース２２の両端部（軸受け穴の長さ分だけ中央側に寄った箇所）に、半径外向きに突出するフランジを形成し、このフランジの存在により、支軸（第２軸８）を外向きずれ不能に保持してもよい。また、前向きアーム７ａの軸受け穴７ｈ部分を二つ割状に構成し、その内径部に内向き環状リブを形成する一方、アウターケース２２の両端部に、内向き環状リブが嵌る環状溝を形成したりしてもよい。さらに、この場合も、突起と穴との組合せや、係合爪同士の嵌め合わせ構造を採用することが可能である。
【００５４】
なお、付言すると、本願発明に係る支軸と軸受け部との連結構造は、椅子以外にも、他の様々な装置・機構に対しても適用可能である。その他、各部の構成は図示の実施形態に限定されるものではなく、本発明の趣旨を逸脱しない範囲で種々変更が可能である。
【図面の簡単な説明】
【００５５】
【図１】本願発明の実施形態に係る椅子の正面図である。
【図２】椅子の左側面図である。
【図３】背受け部材及びベースを上方から見た斜視図である。
【図４】背受け部材とベースとを裏返した状態での分離斜視図である。
【図５】第３軸の取り付け構造を示す一部切り欠き分離正面図である。
【図６】第３軸の取り付け構造を示す分離側断面図である。
【図７】第３軸の取り付け構造を示す一部切り欠き正断面図である。
【図８】係合手段の別例を示す一部切り欠き正断面図である。
【符号の説明】
【００５６】
２  ベース
３  座体
３ａ  座
４  背もたれ
５  中間支持体
６  第１軸
７  背受け部材
７ａ  前向きアーム
７ｈ  軸受け穴
８  第２軸
９  第３軸
２１  インナーピン軸
２２  アウターケース
２３  半割り筒部材
２４  ストッパー部
２５  大径張り出し部
２８  小径段部
３１  上センターブッシュ
３１ａ  上向き突起
３１ｂ  係合突起
３２  下センターブッシュ
３２ａ  下向き突起
３３  センター金具
【図１】
2007167541.tif 000003
【図２】
2007167541.tif 000004
【図３】
2007167541.tif 000005
【図４】
2007167541.tif 000006
【図５】
2007167541.tif 000007
【図６】
2007167541.tif 000008
【図７】
2007167541.tif 000009
【図８】
2007167541.tif 000010